(57)【要約】  表示端末１０は、発電システム５０および蓄電システム６０に接続されたパワーコンディショナ４０、パワーコンディショナ４０および商用電源１００に接続された接続機器３０、ならびにパワーコンディショナ４０を介して電力を供給される負荷機器８０、と通信可能なエネルギー管理部２０における電力の制御状態を示す情報を表示するものであり、表示部１２と、表示に対応する入力を検出する入力検出部１４と、表示に対応する入力を検出すると表示に関連付けられた電力の制御状態を示す情報をエネルギー管理部２０から取得して、その情報を所定の表示態様で表示するように表示部１２を制御する制御部１６と、を備える。
2013088584.tif 000002
【特許請求の範囲】
【請求項１】
発電システムおよび蓄電システムの少なくとも一方に接続されたパワーコンディショナ、前記パワーコンディショナおよび商用電源に接続された接続機器、ならびに前記パワーコンディショナを介して電力を供給される負荷機器、と通信可能なエネルギー管理部における電力の制御状態を示す情報を表示する表示端末であって、
表示部と、
前記表示部における表示に対応する入力を検出する入力検出部と、
前記入力検出部が前記表示部における表示に対応する入力を検出すると、当該表示に関連付けられた前記エネルギー管理部による電力の制御状態を示す情報を前記エネルギー管理部から取得して、当該電力の制御状態を示す情報を所定の表示態様で表示するように前記表示部を制御する制御部と、
を備えることを特徴とする表示端末。
【請求項２】
前記表示部に前記接続機器を示唆する画像が表示されている際に、前記接続機器を示唆する当該画像の表示に対応する入力を前記入力検出部が検出すると、
前記制御部は、当該接続機器を示唆する画像に関連付けられた前記エネルギー管理部による電力の制御状態を示す情報として、前記商用電源からの買電および該商用電源への売電に関する情報ならびに電気料金に関する情報のうち少なくとも１つを前記エネルギー管理部から取得して、当該情報を前記所定の表示態様で表示するように前記表示部を制御する、請求項１に記載の表示端末。
【請求項３】
前記制御部は、前記エネルギー管理部による電力の制御状態の遷移を時系列で表示する際、現在時点までの情報は、前記電力の制御状態の遷移の過去の履歴に基づいて表示を行うとともに、現在時点から先の情報は、前記エネルギー管理部による前記過去の履歴に基づく予測または外部サーバから取得する前記電力の制御状態の遷移の予測に基づいて表示を行うように前記表示部を制御する、請求項１または２に記載の表示端末。
【請求項４】
前記制御部は、前記エネルギー管理部による電力の制御状態の遷移を時系列で表示する際、所定の期間における前記エネルギー管理部による電力の制御状態の遷移の情報を前記エネルギー管理部から取得して、当該情報を前記所定の表示態様で表示するように前記表示部を制御する、請求項１から３のいずれか一項に記載の表示端末。
【請求項５】
前記エネルギー管理部による電力の制御状態の遷移が前記表示部に時系列で表示されている際に、前記入力検出部が前記時系列の表示に対応する当該時系列方向への移動を示唆する入力を検出すると、
前記制御部は、前記入力検出部が検出した入力が示唆する移動方向に応じて、前記エネルギー管理部による電力の制御状態の遷移の情報を前記エネルギー管理部から取得して、当該情報を、前記入力検出部が検出した入力の移動に追従させて、前記所定の表示態様で表示するように前記表示部を制御する、請求項１から４のいずれか一項に記載の表示端末。
【請求項６】
前記制御部は、前記エネルギー管理部による電力の制御状態を示す情報として前記発電システムの発電に関する情報を表示する際、当該発電している電力の大きさを所定のオブジェクトの回転速度あるいは回転方向により示唆する表示を行うように前記表示部を制御する、請求項１から５のいずれか一項に記載の表示端末。
【請求項７】
前記制御部は、前記エネルギー管理部による電力の制御状態を示す情報として前記蓄電システムの充電または放電に関する情報を表示する際、所定のオブジェクトが外向きに膨張するように変化する動画により前記放電している状態を示唆し、当該所定のオブジェクトが内向きに収縮するように変化する動画により前記充電している状態示唆する表示を行うように前記表示部を制御する、請求項１から６のいずれか一項に記載の表示端末。
【請求項８】
前記表示部に前記負荷機器を示唆する画像が表示されている際に、前記入力検出部が前記負荷機器を示唆する画像の表示に対応する入力を検出すると、
前記制御部は、当該負荷機器を示唆する画像に関連付けられた前記エネルギー管理部による電力の制御状態を示す情報を前記エネルギー管理部から取得して、当該電力の制御状態を示す情報を前記所定の表示態様で表示するように前記表示部を制御する、請求項１から７のいずれか一項に記載の表示端末。
【請求項９】
前記制御部は、前記エネルギー管理部による電力の制御状態を示す情報として、前記商用電源から供給される電力について需要応答に関する情報または当該電力の買電価格に関する情報を前記エネルギー管理部から取得して、当該電力の制御状態を示す情報を前記所定の表示態様で表示するように前記表示部を制御する、請求項１から８のいずれか一項に記載の表示端末。
【請求項１０】
前記商用電源から供給される電力について需要応答に関する情報に基づいて前記エネルギー管理部による電力の制御状態が変更された場合、
前記制御部は、前記エネルギー管理部による電力の制御状態が変更された後の状態を示す情報を前記エネルギー管理部から取得して、当該状態を示す情報を前記所定の表示態様で表示するように前記表示部を制御する、請求項１から９のいずれか一項に記載の表示端末。
【請求項１１】
前記需要応答に関する情報として前記商用電源からの電力供給が非常事態である旨の情報に基づいて、前記エネルギー管理部による電力の制御状態が、前記発電システムにより発電される電力を前記商用電源に売電している状態に変更された場合、
前記制御部は、前記エネルギー管理部による電力の制御状態が変更された後の状態を示す情報を前記エネルギー管理部から取得して、当該状態を示す情報を前記所定の表示態様で表示するように前記表示部を制御する、請求項１０に記載の表示端末。
【請求項１２】
前記需要応答に関する情報として前記発電システムおよび前記蓄電システムの少なくとも一方の電力により自立運転を指示する旨の情報に基づいて、前記エネルギー管理部による電力の制御状態が、前記発電システムおよび前記蓄電システムの少なくとも一方の電力により自立運転している状態に変更された場合、
前記制御部は、前記エネルギー管理部による電力の制御状態が変更された後の状態を示す情報を前記エネルギー管理部から取得して、当該状態を示す情報を前記所定の表示態様で表示するように前記表示部を制御する、請求項１０または１１に記載の表示端末。
【請求項１３】
発電システムおよび蓄電システムの少なくとも一方に接続されるとともに負荷機器にも接続されたパワーコンディショナ、前記パワーコンディショナおよび商用電源に接続された接続機器、前記パワーコンディショナおよび前記接続機器および前記負荷機器と通信可能なエネルギー管理部、ならびに前記エネルギー管理部と通信する表示端末、を含む電力制御システムであって、
前記表示端末は、
前記エネルギー管理部による電力の制御状態を示す情報を表示する表示部と、
前記表示部における表示に対応する入力を検出する入力検出部と、
前記入力検出部が前記表示部における表示に対応する入力を検出すると、当該表示に関連付けられた前記エネルギー管理部による電力の制御状態を示す情報を前記エネルギー管理部から取得して、当該電力の制御状態を示す情報を所定の表示態様で表示するように前記表示部を制御する制御部と、
を備えることを特徴とする、電力制御システム。
【請求項１４】
発電システムおよび蓄電システムの少なくとも一方に接続されたパワーコンディショナ、前記パワーコンディショナおよび商用電源に接続された接続機器、ならびに前記パワーコンディショナを介して電力を供給される負荷機器、と通信可能なエネルギー管理部と通信する、表示部を備えた表示端末の表示方法であって、
前記エネルギー管理部による電力の制御状態を示す情報を前記表示部に表示する表示ステップと、
前記表示部における表示に対応する入力を検出する入力検出ステップと、
前記入力検出ステップにて前記表示部における表示に対応する入力を検出すると、当該表示に関連付けられた前記エネルギー管理部による電力の制御状態を示す情報を前記エネルギー管理部から取得して、当該電力の制御状態を示す情報を所定の表示態様で表示するように前記表示部を制御する制御ステップと、
を備えることを特徴とする表示端末の表示方法。
【発明の詳細な説明】
【関連出願の相互参照】
【０００１】
本出願は、２０１１年１２月１４日に出願された日本国特許出願２０１１−２７３８６５号の優先権を主張するものであり、この先の出願の開示全体を、ここに参照のために取り込む。
【技術分野】
【０００２】
本発明は、電力制御システムに用いる表示端末、当該表示端末を含む電力制御システム、および当該表示端末の表示方法に関するものである。
【背景技術】
【０００３】
近年、需要家毎に設けられる電力管理装置（例えば、ＨＥＭＳ；Home Energy Management System）によって、需要家に設けられる負荷および需要家に設けられる分散電源などを制御する技術が知られている（例えば、特許文献１参照）。【０００４】
分散電源としては、ＳＯＦＣ（Solid Oxide Fuel Cell）などの燃料電池を含む燃料電池ユニットが考えられる。あるいは、他の分散電源として、太陽光、風力、および地熱などのクリーンなエネルギーを利用する発電装置も考えられる。このような発電装置を採用することで、上述の特許文献１に記載の電力管理システムは、自家発電の利用により電力系統（商用電源）から供給される電力を低減させつつ、この商用電源から電力を購入する費用を削減することができる。【０００５】
また、燃料電池を利用した発電および太陽光発電を利用した発電に加えて、さらに蓄電池も組み合わせた給電システムも提案されている（例えば、特許文献２参照）。このような発電装置および蓄電池を備えた給電システムにおいては、上述したような電力管理装置による電力の管理および制御は、特に重要なものとなる。
【先行技術文献】
【特許文献】
【０００６】
【特許文献１】特開２００３−３０９９２８号公報
【特許文献２】特開２０１１−３４４９号公報
【発明の概要】
【発明が解決しようとする課題】
【０００７】
従来の電力制御システムにおいては、例えばＨＥＭＳのような電力管理装置が電力の制御および管理を行っている様子をユーザに示す情報は、一般ユーザにとって、一見して把握し易いものとは言えなかった。【０００８】
したがって、かかる事情に鑑みてなされた本発明の目的は、電力制御システムにおいて電力の制御状態をユーザが一見して容易に把握できるように表示する表示端末、電力制御システム、および表示方法を提供することにある。
【課題を解決するための手段】
【０００９】
上記目的を達成する第１の観点に係る表示端末は、
発電システムおよび蓄電システムの少なくとも一方に接続されたパワーコンディショナ、前記パワーコンディショナおよび商用電源に接続された接続機器、ならびに前記パワーコンディショナを介して電力を供給される負荷機器、と通信可能なエネルギー管理部における電力の制御状態を示す情報を表示する表示端末であって、
表示部と、
前記表示部における表示に対応する入力を検出する入力検出部と、
前記入力検出部が前記表示部における表示に対応する入力を検出すると、当該表示に関連付けられた前記エネルギー管理部による電力の制御状態を示す情報を前記エネルギー管理部から取得して、当該電力の制御状態を示す情報を所定の表示態様で表示するように前記表示部を制御する制御部と、
を備えることを特徴とするものである。【００１０】
また、前記表示部に前記接続機器を示唆する画像が表示されている際に、前記接続機器を示唆する当該画像の表示に対応する入力を前記入力検出部が検出すると、
前記制御部は、当該接続機器を示唆する画像に関連付けられた前記エネルギー管理部による電力の制御状態を示す情報として、前記商用電源からの買電および該商用電源への売電に関する情報ならびに電気料金に関する情報のうち少なくとも１つを前記エネルギー管理部から取得して、当該情報を前記所定の表示態様で表示するように前記表示部を制御するのが好ましい。【００１１】
また、前記制御部は、前記エネルギー管理部による電力の制御状態の遷移を時系列で表示する際、現在時点までの情報は、前記電力の制御状態の遷移の過去の履歴に基づいて表示を行うとともに、現在時点から先の情報は、前記エネルギー管理部による前記過去の履歴に基づく予測または外部サーバから取得する前記電力の制御状態の遷移の予測に基づいて表示を行うように前記表示部を制御するのが好ましい。【００１２】
また、前記制御部は、前記エネルギー管理部による電力の制御状態の遷移を時系列で表示する際、所定の期間における前記エネルギー管理部による電力の制御状態の遷移の情報を前記エネルギー管理部から取得して、当該情報を前記所定の表示態様で表示するように前記表示部を制御するのが好ましい。【００１３】
また、前記エネルギー管理部による電力の制御状態の遷移が前記表示部に時系列で表示されている際に、前記入力検出部が前記時系列の表示に対応する当該時系列方向への移動を示唆する入力を検出すると、
前記制御部は、前記入力検出部が検出した入力が示唆する移動方向に応じて、前記エネルギー管理部による電力の制御状態の遷移の情報を前記エネルギー管理部から取得して、当該情報を、前記入力検出部が検出した入力の移動に追従させて、前記所定の表示態様で表示するように前記表示部を制御するのが好ましい。【００１４】
また、前記制御部は、前記エネルギー管理部による電力の制御状態を示す情報として前記発電システムの発電に関する情報を表示する際、当該発電している電力の大きさを所定のオブジェクトの回転速度あるいは回転方向により示唆する表示を行うように前記表示部を制御するのが好ましい。【００１５】
また、前記制御部は、前記エネルギー管理部による電力の制御状態を示す情報として前記蓄電システムの充電または放電に関する情報を表示する際、所定のオブジェクトが外向きに膨張するように変化する動画により前記放電している状態を示唆し、当該所定のオブジェクトが内向きに収縮するように変化する動画により前記充電している状態示唆する表示を行うように前記表示部を制御するのが好ましい。【００１６】
また、前記表示部に前記負荷機器を示唆する画像が表示されている際に、前記入力検出部が前記負荷機器を示唆する画像の表示に対応する入力を検出すると、
前記制御部は、当該負荷機器を示唆する画像に関連付けられた前記エネルギー管理部による電力の制御状態を示す情報を前記エネルギー管理部から取得して、当該電力の制御状態を示す情報を前記所定の表示態様で表示するように前記表示部を制御するのが好ましい。【００１７】
また、前記制御部は、前記エネルギー管理部による電力の制御状態を示す情報として、前記商用電源から供給される電力について需要応答に関する情報または当該電力の買電価格に関する情報を前記エネルギー管理部から取得して、当該電力の制御状態を示す情報を前記所定の表示態様で表示するように前記表示部を制御するのが好ましい。【００１８】
また、前記商用電源から供給される電力について需要応答に関する情報に基づいて前記エネルギー管理部による電力の制御状態が変更された場合、
前記制御部は、前記エネルギー管理部による電力の制御状態が変更された後の状態を示す情報を前記エネルギー管理部から取得して、当該状態を示す情報を前記所定の表示態様で表示するように前記表示部を制御するのが好ましい。【００１９】
また、前記需要応答に関する情報として前記商用電源からの電力供給が非常事態である旨の情報に基づいて、前記エネルギー管理部による電力の制御状態が、前記発電システムにより発電される電力を前記商用電源に売電している状態に変更された場合、
前記制御部は、前記エネルギー管理部による電力の制御状態が変更された後の状態を示す情報を前記エネルギー管理部から取得して、当該状態を示す情報を前記所定の表示態様で表示するように前記表示部を制御するのが好ましい。【００２０】
また、前記需要応答に関する情報として前記発電システムおよび前記蓄電システムの少なくとも一方の電力により自立運転を指示する旨の情報に基づいて、前記エネルギー管理部による電力の制御状態が、前記発電システムおよび前記蓄電システムの少なくとも一方の電力により自立運転している状態に変更された場合、
前記制御部は、前記エネルギー管理部による電力の制御状態が変更された後の状態を示す情報を前記エネルギー管理部から取得して、当該状態を示す情報を前記所定の表示態様で表示するように前記表示部を制御するのが好ましい。【００２１】
また、上記目的を達成する第２の観点に係る電力制御システムは、
発電システムおよび蓄電システムの少なくとも一方に接続されるとともに負荷機器にも接続されたパワーコンディショナ、前記パワーコンディショナおよび商用電源に接続された接続機器、前記パワーコンディショナおよび前記接続機器および前記負荷機器と通信可能なエネルギー管理部、ならびに前記エネルギー管理部と通信する表示端末、を含む電力制御システムであって、
前記表示端末は、
前記エネルギー管理部による電力の制御状態を示す情報を表示する表示部と、
前記表示部における表示に対応する入力を検出する入力検出部と、
前記入力検出部が前記表示部における表示に対応する入力を検出すると、当該表示に関連付けられた前記エネルギー管理部による電力の制御状態を示す情報を前記エネルギー管理部から取得して、当該電力の制御状態を示す情報を所定の表示態様で表示するように前記表示部を制御する制御部と、
を備えることを特徴とするものである。【００２２】
さらに、上記目的を達成する第３の観点に係る表示端末の表示方法は、
発電システムおよび蓄電システムの少なくとも一方に接続されたパワーコンディショナ、前記パワーコンディショナおよび商用電源に接続された接続機器、ならびに前記パワーコンディショナを介して電力を供給される負荷機器、と通信可能なエネルギー管理部と通信する、表示部を備えた表示端末の表示方法であって、
前記エネルギー管理部による電力の制御状態を示す情報を前記表示部に表示する表示ステップと、
前記表示部における表示に対応する入力を検出する入力検出ステップと、
前記入力検出ステップにて前記表示部における表示に対応する入力を検出すると、当該表示に関連付けられた前記エネルギー管理部による電力の制御状態を示す情報を前記エネルギー管理部から取得して、当該電力の制御状態を示す情報を所定の表示態様で表示するように前記表示部を制御する制御ステップと、
を備えることを特徴とするものである。
【発明の効果】
【００２３】
本発明によれば、電力制御システムにおいて電力の制御状態をユーザが一見して容易に把握できるように表示する表示端末、電力制御システム、および表示方法を提供することができる。
【図面の簡単な説明】
【００２４】
【図１】本発明の実施形態に係る電力制御システムの概略構成を示す図である。
【図２】本発明の実施形態に係る表示端末の概略構成を示す図である。
【図３】本発明の実施形態に係る表示端末の処理を説明するフローチャートである。
【図４】本発明の実施形態に係る表示端末による表示の例を示す図である。
【図５】本発明の実施形態に係る表示端末による表示の例を示す図である。
【図６】本発明の実施形態に係る表示端末による表示の例を示す図である。
【図７】本発明の実施形態に係る表示端末による表示の例を示す図である。
【図８】本発明の実施形態に係る表示端末による表示の例を示す図である。
【図９】本発明の実施形態に係る表示端末による表示の例を示す図である。
【図１０】本発明の実施形態に係る表示端末による表示の例を示す図である。
【図１１】本発明の実施形態に係る表示端末による表示の例を示す図である。
【図１２】本発明の実施形態に係る表示端末による表示の例を示す図である。
【図１３】本発明の実施形態に係る表示端末による表示の例を示す図である。
【図１４】本発明の実施形態に係る表示端末による表示の例を示す図である。
【図１５】本発明の実施形態に係る表示端末による表示の例を示す図である。
【図１６】本発明の実施形態に係る表示端末による表示の例を示す図である。
【発明を実施するための形態】
【００２５】
以下、本発明の実施形態について、図面を参照して説明する。
【００２６】
まず、本実施形態に係る電力制御システムについて説明する。本実施形態に係る電力制御システムは、電力系統（商用電源）から供給される電力の他に、例えば太陽光発電などによって電力を供給するシステム、および電力を充放電することができる蓄電池システムのうち少なくとも一方を備えるようにするのが好適である。また、電力を供給するシステムは、太陽光発電によって電力を供給するシステムに限定されるものではなく、例えばＳＯＦＣなどの燃料電池を含む燃料電池システムなど、種々の発電システムとすることができる。以下説明する本実施形態においては、発電システムとして太陽光発電システムを備え、さらに蓄電池システムとして蓄電部を備える例について説明する。
【００２７】
図１は、本実施形態に係る電力制御システムの概略構成を示す機能ブロック図である。図１に示すように、本実施形態に係る電力制御システムは、表示端末１０、エネルギー管理部２０、スマートメータ３０、パワーコンディショナ４０、太陽光発電システム５０、および蓄電部６０、を含んで構成される。図１において、各機能ブロックを結ぶ実線は、電力の流れを表す。また、図１において、各機能ブロックを結ぶ破線は、制御信号または通信される情報の流れを表し、当該破線は有線としてもよいし、無線としてもよい。
【００２８】
図１に示す電力制御システムは、商用電源１００から供給される電力の他、太陽光発電システム５０が発電する電力、および蓄電部６０に充電された電力のうち放電された電力を、負荷に供給することができる。図１において、電力制御システムに接続される負荷は、負荷機器８０−１、負荷機器８０−２、負荷機器８０−３、および負荷機器８０−Ｎとして示してあるが、これらの負荷機器は任意の数とすることができる。これらの負荷機器は、例えば、テレビ、エアコン、冷蔵庫など、種々の電化製品とすることができる。これらの負荷機器は、図１に示すように、分電盤７０を介してパワーコンディショナ４０に接続されて、電力を供給される。
【００２９】
表示端末１０は、エネルギー管理部２０による電力の制御状態を表示部に表示することにより、当該電力の制御状態を一般ユーザが容易に把握できるようにするための端末である。表示端末１０は、エネルギー管理部２０と有線または無線により接続されて、エネルギー管理部２０と通信することができる。表示端末１０の構成についての詳細は後述する。
【００３０】
エネルギー管理部２０は、例えばＨＥＭＳなどにより構成することができ、図１に示す電力制御システムにおける電力を制御および管理する。具体的には、例えば、エネルギー管理部２０は、負荷機器８０−１〜８０−Ｎに有線または無線で接続されることにより、これら負荷機器の消費電力を制御する。エネルギー管理部２０と負荷機器８０−１〜８０−Ｎとを無線により接続する際には、例えば赤外線通信、電力線搬送通信（ＰＬＣ；Power Line Communication）など、種々の方式を用いることができる。
【００３１】
また、エネルギー管理部２０は、パワーコンディショナ４０に有線または無線で接続されることにより、太陽光発電システム５０、蓄電部６０、および商用電源１００から分電版７０を介して負荷機器８０に供給される電力を監視する。また、エネルギー管理部２０は、パワーコンディショナ４０を介して、蓄電部６０に充電される電力も監視する。さらに、エネルギー管理部２０は、スマートメータ３０に有線または無線で接続されることにより、例えば電力会社などから需要応答（Demand Response：ＤＲ）の情報を受信することができる。
【００３２】
さらに、エネルギー管理部２０は、電力制御システムにおける電力の制御および管理の状態を示す情報を、表示端末１０に供給する。エネルギー管理部２０は、図１に示すように、収集した各種の情報を蓄積するために、データベース２２を有している。このデータベース２２は、任意のメモリ装置などにより構成することができ、図１に示すように、エネルギー管理部２０の外部に接続されるようにしてもよいし、エネルギー管理部２０に内蔵されるようにしてもよい。さらに、エネルギー管理部２０は、有線または無線により、ネットワーク３００に接続することもできる。
【００３３】
スマートメータ３０は、商用電源１００に接続されて、商用電源１００から供給される電力を計測する。また、スマートメータ３０は、パワーコンディショナ４０にも接続されて、太陽光発電システム５０が発電して電力会社に売電する電力を計測する。スマートメータ３０は、このようにして計測した結果の情報を、エネルギー管理部２０に通知することができる。このように、スマートメータ３０がエネルギー管理部２０と通信を行う際には、例えばジグビー（ZigBee）などの近距離通信方式による通信を採用することができる。
【００３４】
また、スマートメータ３０は、図１に示すように、系統ＥＭＳ（Energy Management System）２００と有線または無線で接続されることにより、例えば電力に関する予測などの情報を受信することができる。ここで、系統ＥＭＳ２００は、電力に関する各種の予測および制御などを行う設備であり、一般的には、例えば電力会社などに設置される。系統ＥＭＳ２００は、例えばＭＤＭＳ（メータデータマネジメントシステム）を構成するものを採用することができる。この系統ＥＭＳ２００は、各種の電力に関する情報を記憶するデータベース２１０を有しており、スマートメータ３０が計測した結果の情報を収集して蓄積することもできる。また、系統ＥＭＳ２００は、ネットワーク３００に接続することができる。本実施形態において、スマートメータ３０は、本発明に係る接続機器を構成する。
【００３５】
パワーコンディショナ４０は、太陽光発電システム５０および蓄電部６０から供給される直流の電力を、交流の電力に変換する。このようにしてパワーコンディショナ４０により変換された交流の電力は、分電盤７０を介して各負荷機器８０に供給される。また、太陽光発電システムが発電した電力に余剰がある場合には、パワーコンディショナ４０により変換された交流の電力を、電力会社に売電することもできる。また、パワーコンディショナ４０は、商用電源１００から供給される交流の電力を、蓄電部６０に充電するための直流の電力に変換することもできる。
【００３６】
太陽光発電システム５０は、太陽光を利用して発電する。このため、太陽光発電システム５０は、太陽電池を備えており、太陽光のエネルギーを直流の電力に変換する。本実施形態において、太陽光発電システム５０は、例えば家の屋根などにソーラパネルを設置して、太陽光を利用して発電するような態様を想定している。しかしながら、本発明において、太陽光発電システム５０は、太陽光のエネルギーを電力に変換できるものであれば、任意のものを採用することができる。太陽光発電システム５０が発電する電力は、上述したように、パワーコンディショナ４０によって交流に変換されてから、各負荷機器８０に供給されたり、電力会社に売電されたりする。また、太陽光発電システム５０が発電した電力により、蓄電部６０が充電されるようにしてもよいし、直流のまま負荷機器８０に供給されるようにしてもよい。
【００３７】
蓄電部６０は、蓄電池を備えており、この蓄電池に充電された電力を放電することにより、電力を供給することができる。また、蓄電部６０は、商用電源１００または太陽光発電システム５０等から供給される電力を充電することもできる。図１に示すように、蓄電部６０から放電される電力も、各負荷機器８０に供給することができる。
【００３８】
分電盤７０は、供給される電力を、各負荷機器（８０−１，８０−２，８０−３，および８０−Ｎ）に分配する。
【００３９】
次に、本実施形態に係る表示端末１０について、さらに説明する。
【００４０】
図２は、本実施形態に係る表示端末の概略構成を示す機能ブロック図である。図２に示すように、本実施形態に係る表示端末１０は、表示部１２、入力検出部１４、制御部１６、およびインタフェース１８、を備えている。この表示端末１０は、専用に設計された端末とする他、例えばパソコン（ＰＣ）、ノートパソコン、またはタブレットＰＣなどにアプリケーションソフトウェアをインストールしたものとするなど、各種の端末とすることができる。
【００４１】
表示部１２は、エネルギー管理部２０による電力の制御状態を示す情報を表示する。表示部１２は、例えば液晶ディスプレイ（ＬＣＤ）または有機ＥＬディスプレイとする等、各種の表示装置により構成することができる。表示部１２は、文字、数字、記号などを表示するのみならず、各種のアイコンのオブジェクトなどを描画したものを表示することもできる。また、本実施形態において、表示部１２は、単色表示またはグレイスケールによって表示するものを用いることもできるが、一般のユーザが一見して容易に把握できるような態様で表示を行うために、カラー表示に対応したものを用いるのが好適である。
【００４２】
入力検出部１４は、表示部１２における表示に対応する入力を検出する。入力検出部１４は、専用のコントローラ、キーボード、マウスなど、各種の入力装置とすることができる。本実施形態においてこのような入力装置を採用する場合、入力検出部１４は、表示部１２に表示したアイコンのオブジェクトなどの箇所までカーソルまたはポインタなどを移動させるユーザの操作を検出することができる。また、入力検出部１４は、このようなオブジェクトなどの表示に対応する入力、すなわちオブジェクトなどを選択するユーザの入力を検出することができる。
【００４３】
あるいは、入力検出部１４は、ユーザが指などにより直接触れる操作を検出するタッチパネルとすることもできる。特に、このようなタッチパネルを透過性の素材で構成して、表示部１２の前面に重ねて配置すれば、表示部１２に表示したアイコンのオブジェクトなどにユーザが直接触れようとする操作などを検出することができる。したがって、このような構成のタッチパネルによって入力検出部１４を構成すれば、ユーザに直感的な操作性を提供することができる。以下、本実施形態においては、このように、透明なタッチパネルで構成される入力検出部１４を、表示部１２の前面に配置した例を想定して説明する。
【００４４】
制御部１６は、表示端末１０を構成する各機能部を制御することにより、表示端末１０全体を制御および管理する。制御部１６による、本実施形態に特有の制御については後述する。
【００４５】
インタフェース１８は、表示端末１０が有線でエネルギー管理部２０と通信する場合は、エネルギー管理部２０に接続されたケーブルを表示端末１０に接続するためのコネクタのレセプタクルとすることができる。一方、インタフェース１８は、表示端末１０がエネルギー管理部２０と無線通信する場合は、エネルギー管理部２０に信号を送信するとともにエネルギー管理部２０からの信号を受信する送受信部を構成する無線部とすることができる。これらの場合において、エネルギー管理部２０も、表示端末１０のインタフェース部１８に対応するインタフェース部を備えるものとする。
【００４６】
次に、本実施形態に係る表示端末１０が行う処理を説明する。
【００４７】
図３は、本実施形態に係る表示端末１０の処理を説明するフローチャートである。図３に示す処理が開始する際は、制御部１６の制御により、規定されたアイコンのオブジェクトなどを、表示部１２に予め表示しておくようにする。
【００４８】
図３に示す処理が開始すると、制御部１６は、表示部１２に表示されたアイコンのオブジェクトや表示中のグラフに対してタッチする入力や、表示中のグラフをタッチしてスイープする（ドラッグ）入力やタッチして払う（フリック）入力を入力検出部１４が検出できるように制御する（ステップＳ１１）。ステップＳ１１においてアイコンのオブジェクトなどに対応する入力が検出されたら、制御部１６は、当該アイコンのオブジェクトなどに関連付けられた情報、あるいはスイープおよびドラッグに応じてグラフの表示領域の変更に応じた新規表示領域に関するデータをエネルギー管理部２０から取得するように制御する（ステップＳ１２）。ステップＳ１２において、制御部１６は、これらの情報を、エネルギー管理部２０の情報を蓄積しているデータベース２２などから取得するように制御することができる。
【００４９】
ステップＳ１２においてアイコンのオブジェクトなどに関連付けられた情報や新たにグラフなどとして描画する領域のデータが取得されたら、制御部１６は、アプリケーションソフトウェアに基づく所定の表示態様で画像を形成するように制御する（ステップＳ１３）。ステップＳ１３において使用するアプリケーションソフトウェアは、予め制御部１６にインストールされているものとする。このようにしてアイコンのオブジェクトや表示領域の変更などに関連付けられた情報が形成されたら、制御部１６は、当該形成された情報を表示するように表示部１２を制御する（ステップＳ１４）。
【００５０】
このように、本実施の形態において、制御部１６は、入力検出部１４が表示部１２における表示に対応する入力を検出すると、当該表示に関連付けられたエネルギー管理部２０による電力の制御状態を示す情報を、エネルギー管理部２０から取得する。それから、制御部１６は、当該電力の制御状態を示す情報を、アプリケーションソフトウェアに基づく所定の表示態様で表示するように表示部１２を制御する。
【００５１】
次に、本実施形態に係る表示端末１０による表示の具体例を説明する。図４〜図１６は、表示端末１０の表示部１２に表示されるＧＵＩ（グラフィカル・ユーザインタフェース）の具体例を示している。以下、特に明示しない限り、表示端末１０の表示部１２に表示される画面について説明する。また、以下の例においては、図１に示した電力制御システムが、一般的な家庭に設置されている状況を想定して説明する。以下に示す表示の例において、各表示を構成するオブジェクトなどの各種の画像データは、制御部１６にインストールされた上述のアプリケーションソフトウェアに含まれているものとする。
【００５２】
図４（Ａ）は、エネルギー管理部２０による電力の制御状態を示す情報を表示する際のメイン画面が、表示端末１０の表示部１２に表示された例を示す図である。また、上述したように、以下の例においては、表示部１２における表示に対応する入力を検出する入力検出部１４は、表示部１２の前面に配置され、ユーザの指などが表示部１２に表示されたオブジェクトへのタッチ操作による入力を検出することができる。
【００５３】
図４（Ａ）に示すように、エネルギー管理部２０によって通常の電力の制御が行われている際は、メイン画面として、表示端末１０の表示部１２には、各項目に関連付けられたアイコンのオブジェクトを表示する。図４（Ａ）に示す例においては、表示部１２に、太陽を表すアイコン（１）、スマートメータを表すアイコン（２）、および家を表すアイコン（３）を表示している。また、図４（Ａ）に示すように、ユーザにとって役に立つ情報として、例えば時刻や日付（４）などを表示してもよい。
【００５４】
図４（Ａ）には、ユーザによる操作を検出するアイコンのオブジェクトとして、上述の（１）から（３）までのオブジェクトが表示された例を示している。これらのアイコンの１つをユーザがスライドさせようとする操作入力を検出すると、表示端末１０の制御部１６は、他のアイコンも追従してスライドする表示を行うように制御する。すなわち、ユーザがスマートメータを表すアイコン（２）を例えば右から左にスライドさせる操作入力を検出すると、制御部１６は、（１）および（３）のアイコンも追従して右から左にスライドする表示を行うように制御する。このような操作に伴い、例えば（１）のアイコンは表示部１２の外に移動するとともに、（３）のアイコンが表示部１２の中央に移動したとする。この場合、制御部１６は、（３）のアイコンの次のアイコンが表示部１２の右端に登場するように、表示部１２を制御する。
【００５５】
このように、表示端末１０においては、ユーザがアイコンにタッチし、スイープしてスライドさせる操作入力の検出に基づいて、アイコンを所定の順番で次々に表示させることができる。所定の順番で次々に表示されるアイコンは、例えば図４（Ｂ）に示すような順序とすることができる。図４（Ｂ）に示す（４）のアイコンは、データが記録される磁気テープのリールを表している。また、図４（Ｂ）に示す（５）のアイコンは、カレンダーを表している。本実施形態では、制御部１６が、図４（Ｂ）に示すようなアイコンがループする表示を行うように制御してもよい。例えば、図４（Ｂ）に示すようなアイコンが、図４（Ａ）に示すように表示部１２上で次々に表示される際、例えば（５）のアイコンの次には（１）のアイコンが表示されるようにすることができる。また、表示されるアイコンが左から右にスライドされる場合、（１）のアイコンの次には（５）のアイコンが表示されるようにすることができる。
【００５６】
図４（Ａ）に示すように、表示部１２の画面中央に表示されるアイコンの付近には、当該アイコンに対する入力に基づいてどのような情報が表示されるのかを示唆する表示を行うことができる。例えば、図４（Ａ）においては、表示部１２の画面中央にスマートメータのアイコン（２）が表示され、当該アイコンの下部には、このアイコンの選択により「発電・蓄電・消費」に関する情報が表示される旨を示唆する表示が行われている。
【００５７】
図４（Ａ）に示すような表示が行われている際に、パワーコンディショナ４０と商用電源１００との間に接続される接続機器（例えばスマートメータ）のアイコン（２）の表示に対応する操作入力を入力検出部１４が検出すると、制御部１６は、スマートメータの情報をエネルギー管理部２０から取得して、表示部１２に表示するように制御する。すなわち、例えばユーザが指などにより図４（Ａ）に示すスマートメータのアイコン（２）に触れると、図５に示すように、表示部１２には、スマートメータに関連付けられた情報である「発電・蓄電・消費」に関する情報が表示される。また、例えばユーザが指などにより図４（Ａ）に示す「発電・蓄電・消費」のオブジェクトに触れると、図５に示すような表示が行われるようにしてもよい。
【００５８】
図５は、表示端末１０の表示部１２における表示の一例として、スマートメータに関連付けられた情報である「発電・蓄電・消費」に関する情報の表示を示す図である。
【００５９】
図５に示すように、表示部１２には、スマートメータ（接続機器）のアイコン（１）、ソーラパネルによる発電のアイコン（２）、蓄電池による充放電のアイコン（３）、および家屋内の電化製品の消費電力およびヒートポンプの状態のアイコン（４）が表示されている。また、表示部１２には、累積電力の状態のアイコン（５）、ＤＲモードの状態のアイコン（６）、および電力系統を示すアイコン（７）も表示されている。さらに、表示部１２には、メイン画面に移動するボタンのアイコン（８）、および戻るボタンのアイコン（９）も表示されている。図５の中央に示す、アイコン（１）、（２）、（３）、および（４）と電力のやりとりをしている部分のアイコンは、パワーコンディショナ４０を示唆している。
【００６０】
以下、図５に表示された各アイコンを、より詳細に説明する。
【００６１】
スマートメータのアイコン（１）は、図５においては、電力制御システム（特に太陽光発電システム５０）が発電した電力のうち現在０．１ｋＷの電力が、商用電源に売電されていることを表している。図５に示す「発電・蓄電・消費」に関する情報の表示においては、例えば矢印などのオブジェクトを移動させることによって、電力の流れを表すのが好適である。例えば、図５に示すように、電力制御システムが商用電源に売電している場合、スマートメータのアイコン（１）に向かって太い矢印を移動させ、またスマートメータのアイコン（１）から商用電源のアイコン（７）に向かって太い矢印を移動させる表示ができる。このような矢印の表示により、ユーザは電力の流れの状態を一見して容易に把握することができる。一方、電力制御システムが商用電源から買電している場合、これらの矢印のオブジェクトの向きおよび移動の方向は、売電の場合と逆にするのが好適である。
【００６２】
図５においてスマートメータのアイコン（１）をユーザが選択する操作入力が検出されると、制御部１６は、エネルギー管理部２０との通信により情報を取得して、例えば図６に示すようなスマートメータに関連付けられた詳細情報を表示部１２に表示するよう制御する。すなわち、例えばユーザが指などにより図５に示すスマートメータのアイコン（１）に触れると、図６に示すように、表示部１２には、スマートメータに関連付けられた詳細情報である履歴情報が表示される。
【００６３】
図６は、スマートメータに関連付けられた詳細情報として、商用電源からの買電および商用電源への売電の履歴情報、ならびに電力制御システムに接続された負荷機器８０−１〜８０−Ｎの消費電力の履歴情報が表示された例を表している。また、図６に示した履歴情報が表示されたグラフは、ユーザがグラフをドラッグする操作入力などを検出することにより、グラフの各軸を移動させて、例えばより以前の履歴情報にさかのぼって表示することもできるようにするのが好適である。さらに、図６に示した履歴情報が表示されたグラフは、ユーザがグラフを二つの指でタッチし、その後タッチしたまま二つの指の間隔を近づけるあるいは広げるようにタッチ位置を移動させる（ピンチイン／ピンチアウト）する操作入力などを検出することにより、各軸のスケールを変更することもできるようにするのが好適である。
【００６４】
特に、図６に示すように、エネルギー管理部２０による電力の制御状態の遷移を時系列で表示する際、デフォルトの表示においては、時間軸（横軸）のスケールが、例えば１日（２４時間）、１ヶ月（例えば３０日）、または１年（１２ヶ月）を単位とする表示にすることができる。例えば、現在が３月１２日である場合、その日を含む３月１日から３月３１日までの１ヶ月間の遷移を、時系列で表示することができる。このように、例えば月の最初から最後までの日を単位として表示して、ユーザがグラフにタッチしてスイープする操作入力などを検出した場合、当該スイープの操作入力に表示を追従させて、当該月の前の月または次の月を表示することができるようにするのが好適である。
【００６５】
一方、電力会社が電気料金を算出するための１ヶ月の検針期間は、電力会社によって、必ずしも月の最初の日からその月の最後の日までを検針期間としていない場合も想定される。そこで、エネルギー管理部２０による電力の制御状態の遷移を時系列で表示する際、デフォルト表示として、所定の始点から所定の終点までの所定の期間における前記エネルギー管理部による電力の制御状態の遷移の情報を表示することもできる。このような所定の始点から所定の終点までの所定の期間は、予め設定しておいてもよいし、デフォルト表示を行う際にユーザに設定を促すようにしてもよい。このような表示を行うためには、制御部１６が、設定された所定の始点から所定の終点までの所定の期間におけるエネルギー管理部２０による電力の制御状態の遷移の情報をエネルギー管理部２０から取得するように制御する。このようにすれば、ユーザは、例えば電力会社が電気料金を算出するための検針期間などの任意の期間について、エネルギー管理部２０による電力の制御状態の遷移を、１画面において容易に把握することができる。
【００６６】
所定の期間におけるエネルギー管理部２０による電力の制御状態の遷移の情報が表示されたら、制御部１６は、例えば入力検出部１４におけるダブルタップなどの入力を検出することにより、当該所定の期間をデフォルト表示として記憶するように制御してもよい。このようにすれば、再び前記所定の期間におけるエネルギー管理部２０による電力の制御状態の遷移の情報を表示したい場合、ユーザが再度所定の期間を設定するという手間を省くことができる。
【００６７】
また、例えば月の最初の日からその月の最後の日までの１ヶ月を所定の期間として、エネルギー管理部２０による電力の制御状態の遷移の情報を表示すると、その月の終わりと次の月の始めとの連続性、またはその月の初めと前の月の終わりとの連続性が、ユーザにとって即座に把握しにくい。そこで、本実施形態では、例えば月の最初の日からその月の最後の日までの１ヶ月を所定の期間としてグラフ表示した後であっても、制御部１６は、入力検出部１４における入力を検出可能とする。このような状態において、ユーザがグラフの表示にタッチして時間軸方向にスイープ（ドラッグ）する操作入力などを検出した場合、制御部１６は、そのような表示をスイープ方向にスイープした距離分を移動させた表示に変更する。すなわち、エネルギー管理部２０による電力の制御状態の遷移が時系列で表示されている際に、入力検出部１４が時系列の表示に対応する当該時系列方向に移動する入力を検出すると、制御部１６は、当該表示を、入力検出部１４が検出した入力の移動に追従させて表示するように表示部１２を制御する。
【００６８】
このような表示を行うために、制御部１６は、入力検出部１４が検出した入力が移動する前記時系列の方向に応じて、エネルギー管理部２０による電力の制御状態の遷移の情報をエネルギー管理部２０から取得するように制御する。例えば、入力検出部１４が検出した入力により、エネルギー管理部２０による電力の制御状態の遷移の表示が移動して、表示されている時点よりも前の遷移が表示される場合は、当該時点以前の遷移の情報をエネルギー管理部２０から取得する。同様に、例えば、入力検出部１４が検出した入力により、エネルギー管理部２０による電力の制御状態の遷移の表示が移動して、表示されている時点よりも後の遷移が表示される場合は、当該時点以後の遷移の情報をエネルギー管理部２０から取得する。このようにすれば、エネルギー管理部２０による電力の制御状態の遷移の表示をユーザがドラッグする操作入力などを検出することにより、例えば図６に示すように、１０月の終わり（３１日）と１１月の始め（１日）との連続性を１画面で把握しやすく表示することができる。
【００６９】
上述したように、本実施形態では、ユーザが表示部１２の表示をドラッグする操作入力などを検出することにより、例えば１ヶ月などの期間を単位として表示を移動させたり、あるいは当該期間をさらに細かく移動させたりすることができる。これら２つの操作を区別するために、例えば、ユーザが表示部１２の表示を払う操作の入力、すなわちフリックする操作入力を検出することにより、例えば１ヶ月などの所定の期間を単位として表示を一度に移動させるようにすることができる。この場合、ユーザが表示部１２の表示をゆっくりドラッグする操作入力、すなわち通常のドラッグ操作を検出することにより、例えば１ヶ月などの所定の期間の内訳を、当該ドラッグ操作に追従させて細かく徐々に移動させるようにすることができる。
【００７０】
本実施形態においては、以後説明する他のグラフ表示についても、上述したのと同様の表示が可能であるものとする。
【００７１】
図５に示すソーラパネルによる発電のアイコン（２）は、現在の太陽光発電システム５０の発電電力が０．２ｋＷであることを表している。図５においてソーラパネルのアイコン（２）をユーザが選択する操作入力が検出されると、制御部１６は、エネルギー管理部２０との通信により情報を取得して、例えば図７に示すようなソーラパネルによる発電に関連付けられた詳細情報を表示部１２に表示するよう制御する。すなわち、例えばユーザが指などにより図５に示すソーラパネルのアイコン（２）に触れると、図７に示すように、表示部１２には、ソーラパネルによる発電に関連付けられた詳細情報である履歴情報などが表示される。
【００７２】
図７は、ソーラパネルによる発電に関連付けられた詳細情報として、太陽光発電システム５０による発電の履歴情報（１）、ならびに現在の発電状況の視覚的な示唆（２）および（３）が表示された例を表している。太陽光発電システム５０による発電の履歴情報（１）が表示されたグラフは、図６において説明したグラフと同様の操作入力に基づいて、それぞれに対応する処理を行うようにするのが好適である。
【００７３】
図７の（２）に示すオブジェクトは、現在の太陽光発電システム５０の発電電力が、最大発電電力（あるいは定格出力）の何％であるかを示す棒グラフである。例えば、図７においては、現在の太陽光発電システム５０の発電電力は１００％中の２２％であることを示している。
【００７４】
また、図７の（３）に示すオブジェクトは、現在の太陽光発電システム５０の発電状況を視覚的に示唆している。例えば、図７の（２）に示したオブジェクトの元になる数値（例えば図７の例では２２％）に応じて、図７の（３）に示す車輪のようなオブジェクトが回転する速度を変更して、動画により表示することができる。すなわち、太陽光発電システム５０の発電電力が増大すれば、これに応じて図７の（３）に示すオブジェクトが回転する速度が増し、太陽光発電システム５０の発電電力が減少すれば、これに応じて図７の（３）に示すオブジェクトが回転する速度が低減し、発電がなくなればオブジェクトの回転は停止する。
【００７５】
図５に示す蓄電池による充放電のアイコン（３）は、現在の蓄電部６０に蓄電された電力が０．８ｋＷであることを表している。図５において蓄電池のアイコン（３）をユーザが選択する操作入力が検出されると、制御部１６は、エネルギー管理部２０との通信により情報を取得して、例えば図８に示すような蓄電池による充放電に関連付けられた詳細情報を表示部１２に表示するよう制御する。すなわち、例えばユーザが指などにより図５に示す蓄電池のアイコン（２）に触れると、図８に示すように、表示部１２には、蓄電池による充放電に関連付けられた詳細情報である履歴情報などが表示される。
【００７６】
図８は、蓄電池による充放電に関連付けられた詳細情報として、蓄電部６０による充放電の履歴情報（１）、ならびに現在の充放電状況の視覚的な示唆（２）および（３）が表示された例を表している。蓄電部６０による発電の履歴情報（１）が表示されたグラフは、図６において説明したグラフと同様の操作入力に基づいて、それぞれに対応する処理を行うようにするのが好適である。
【００７７】
図８の（２）に示すオブジェクトは、現在の蓄電部６０における蓄電電力が、最大蓄電電力の何％であるかを示す棒グラフである。例えば、図７においては、現在の蓄電部６０の蓄電電力（すなわち残量）は１００％中の７％であることを示している。
【００７８】
また、図８の（３）に示すオブジェクトは、現在の蓄電部６０の充放電の状況を視覚的に示唆している。例えば、現在蓄電部６０が充電または放電している電力の数値に応じて、図８の（３）に示す車輪のようなオブジェクトが回転する方向および回転速度を変更して、動画により表示することができる。すなわち、蓄電部６０が充電される場合には時計回りにオブジェクトが回転し、放電する場合には反時計回りに回転する。さらに、蓄電部６０の充電または放電する電力が増大すれば、これに応じて図８の（３）に示すオブジェクトが回転する速度が増し、蓄電部６０が充電または放電する電力が減少すれば、これに応じて図８の（３）に示すオブジェクトが回転する速度が低減し、充電も放電も無い状態になれば、回転が停止する。
【００７９】
さらに、図８の（３）に示すオブジェクトは、その外周部分において、現在の蓄電部６０が充電中であるか放電中であるかを視覚的に示唆している。すなわち、図８（３）に示す上述した回転するオブジェクトの外周部分には、所定の模様（別のオブジェクト）が膨張または収縮するような動画を表示する。例えば、所定の模様が外向きに膨張するように変化する動画により、蓄電部６０が放電している状態を示唆し、所定の模様が内向きに収縮するように変化する動画により、蓄電部６０が充電している状態を示唆する表示を行う。図８の（３）に示す例においては、回転するオブジェクトの外周部分に、内向きに収縮するように変化する模様を表示することにより、蓄電部６０が充電している状態を示唆している。
【００８０】
図５に示す電化製品の消費電力およびヒートポンプの状態のアイコン（４）は、ヒートポンプの温水の量が１５３リットルであり、この量はヒートポンプ全体に収容可能な温水のうち５１％に該当する旨を表している。また、このアイコン（４）は、電力制御システムに接続された負荷機器８０−１〜８０−Ｎの消費電力が、現在０．２ｋＷであることを表している。図５においてアイコン（４）をユーザが選択する操作入力が検出されると、制御部１６は、エネルギー管理部２０との通信により情報を取得して、例えば図９に示すような電化製品の消費電力およびヒートポンプの状態に関連付けられた詳細情報を表示するよう制御する。すなわち、例えばユーザが指などにより図５に示す電化製品およびヒートポンプのアイコン（４）に触れると、図９に示すように、表示部１２には、電化製品の消費電力に関連付けられた詳細情報である履歴情報などが表示される。
【００８１】
図９は、電化製品の消費電力に関連付けられた詳細情報として、負荷機器８０−１〜８０−Ｎの消費電力の履歴情報、および当該消費電力に関連する各種情報が表示された例を表している。負荷機器８０−１〜８０−Ｎの消費電力の履歴情報などが表示されたグラフは、図６において説明したグラフと同様の操作入力に基づいて、それぞれに対応する処理を行うようにするのが好適である。
【００８２】
図９に示すグラフにおいては、消費電力に関連する各種情報の例として、太陽光発電システム５０による太陽光発電の予測（ＰＶ予測）の推移、蓄電部６０による充放電の推移、および商用電源から買電する電力の買電価格の推移を表示してある。ここで、ＰＶ予測の推移は、例えば図１にて示した系統ＥＭＳ２００などの外部サーバから太陽光発電に関する予測情報が取得できる場合は、この予測情報に基づいて太陽光発電システム５０が発電可能な電力の予測を表示するのが好適である。このような外部サーバから取得することができる太陽光発電に関する予測情報は、専門の事業者から現在提供されているサービスの情報を利用することができる。また、ＰＶ予測の推移は、エネルギー管理部２０が、データベース２２に蓄積された過去の推移（履歴）に基づいて予測するものとしてもよい。さらに、ＰＶ予測の推移は、過去の推移（履歴）については、太陽光発電システム５０による実際の発電電力に基づく情報を表示してもよい。
【００８３】
また、図９において、商用電源から買電する電力の買電価格は、例えばリアルタイム・プライシング（ＲＴＰ）のように、典型的には卸電力市場価格における時間別変化を反映してリアルタイムで変動する電気料金とすることもできる。
【００８４】
このように、エネルギー管理部２０による電力の制御状態の時間変化を示す情報をグラフにより表示する際、現在時点までの情報は、エネルギー管理部２０による電力の制御状態の時間変化の過去の履歴に基づいて表示を行うことができる。また、現在時点から先の情報は、エネルギー管理部２０による電力の制御状態の時間変化の過去の履歴に基づく予測、または外部サーバから取得する情報に基づくエネルギー管理部２０による電力の制御状態の時間変化の予測を表示することができる。
【００８５】
図５に示す累積電力の状態のアイコン（５）は、現在までに売電した電力の累積が９９ｋＷｈであり、現在までに買電した電力の累積が９９ｋＷｈであることを表している。このような累積値を累積する開始点となる時点は、例えば月初めとするなど、任意の所定の時点を設定することができる。図５においてアイコン（５）をユーザが選択する操作入力が検出されると、制御部１６は、エネルギー管理部２０との通信により情報を取得して、例えば図１０に示すような累積電力の状態に関連付けられた詳細情報を表示するよう制御する。すなわち、例えばユーザが指などにより図５に示す累積電力のアイコン（５）に触れると、図１０に示すように、表示部１２には、累積電力の状態に関連付けられた詳細情報である履歴情報が表示される。
【００８６】
図１０は、累積電力の状態に関連付けられた詳細情報として、本実施形態に係る電力制御システムが売電および買電した電力の履歴情報が表示された例を表している。この売電および買電の履歴情報が表示されたグラフは、図６において説明したグラフと同様の操作入力に基づいて、それぞれに対応する処理を行うようにするのが好適である。
【００８７】
図５に示すＤＲモードの状態のアイコン（６）は、電力会社などからの需要応答の情報（ＤＲ情報：デマンドレスポンス情報）を表しており、図に示す「Normal」とは、電力系統から各家庭に対して消費電力を削減する要請がされていないことを意味している。また、アイコン（６）において、「ＤＲ２０％」とは、各家庭の消費電力を２０％削減するように電力系統から要請されていることを意味している。また、アイコン（６）において、「ＤＲ５０％」とは、各家庭の消費電力を５０％削減するように電力系統から要請されていることを意味している。また、「Emergency」とは、電力系統の電力供給が非常事態にあり、各家庭が自立運転可能であれば自立運転を行い、売電できる電力があれば売電するように要請されていることを意味している。さらに、「Isolated」とは、各家庭が自立運転するように要請されていることを意味している。図５に示す例においては、ＤＲモードは「Normal」であることが示してあり、これによりユーザは、電力系統からの電力の供給状態に異常がないことを一目で把握することができる。
【００８８】
本実施形態では、このようにＤＲモードが「Normal」ではなく、各家庭の消費電力を削減するなどの要請を受けた場合、エネルギー管理部２０は、当該要請に応じて負荷機器８０−１〜８０−Ｎの消費電力を削減するなどの各種制御も行うようにできる。すなわち、ＤＲモードが「Emergency」であり売電できる電力があれば売電するように要請を受けた場合、エネルギー管理部２０は、当該要請に応じて例えば太陽光発電システム５０が発電する電力の少なくとも一部を電力系統に売電するように制御を行う。また、ＤＲモードが「Isolated」であり各家庭が自立運転するように要請を受けた場合、エネルギー管理部２０は、当該要請に応じて太陽光発電システム５０が発電する電力および蓄電部６０が放電する電力の少なくとも一方により自立運転を行うように制御する。このようにしてエネルギー管理部２０による電力の制御状態が変更された場合にも、制御部１６は、当該変更後の情報をエネルギー管理部２０から取得して、当該情報をアプリケーションソフトウェアに基づく所定の表示態様で表示するように表示部１２を制御する。
【００８９】
図５に示す電力系統を示すアイコン（７）をユーザが選択する操作入力が検出されると、制御部１６は、例えば電力系統からのお知らせ等の情報、および直近数ヶ月の電気料金などの電力系統に関連する情報を表示するように制御することができる。
【００９０】
図５に示す、メイン画面に移動するボタンのアイコン（８）をユーザが選択する操作入力が検出されると、制御部１６は、例えば図４（Ａ）に示したようなメイン画面を表示するように制御する。
【００９１】
図５に示す戻るボタンのアイコン（９）をユーザが選択する操作入力が検出されると、制御部１６は、現在表示部１２に表示されている画面の直前に表示されていた画面を表示するように制御する。図６以降の各画面においても、図５に示す戻るボタンのアイコン（９）を表示することにより、各表示画面において、いつでも１つ前の画面の表示に戻ることができるようにするのが好適である。
【００９２】
次に、図４（Ａ）に示した表示において、家を表すアイコン（３）をユーザが選択する操作入力が検出された場合に、表示部１２に表示される画面の例を示す。
【００９３】
まず、図４（Ａ）において説明したように、表示部１２の画面中央に表示されるアイコンの付近には、当該アイコンに対する入力に基づいてどのような情報が表示されるのかを示唆する表示を行うようにできる。したがって、例えば、図４（Ａ）において、家を表すアイコン（３）をユーザが画面中央にスライドさせる操作入力が検出されると、制御部１６は、図１１（Ａ）に示すように、このアイコンの選択により「ステータス」に関する情報が表示される旨を示唆する表示を行うように制御する。ここで、「ステータス」とは、本実施形態に係る電力制御システムを採用している家屋の内外に設置された負荷機器８０−１〜８０−Ｎのそれぞれの状態のことを意味する。
【００９４】
図１１（Ａ）に示すような表示が行われている際に、例えば家のアイコンの表示に対応する操作入力を入力検出部１４が検出すると、制御部１６は、いずれの負荷機器のステータスに関する情報を表示するかユーザに選択させるための表示を行うように制御する。すなわち、例えばユーザが指などにより図１１（Ａ）に示す家のアイコンに触れると、図１１（Ｂ）に示すように、表示部１２には、本実施形態に係る電力制御システムを採用している家屋の間取りが模式的に表示される。また、例えばユーザが指などにより図１１（Ａ）に示す「ステータス」のオブジェクトに触れると、図１１（Ｂ）に示すような表示が行われるようにしてもよい。
【００９５】
図１１（Ｂ）に示すように、本実施形態に係る電力制御システムを採用している家屋の間取りの表示は、当該家屋の内外において負荷機器８０−１〜８０−Ｎが設置された場所を示すのに用いる。すなわち、図１１（Ｂ）に示す間取りの表示において、各番号を付した場所（１）、（２）、（３）、および（４）の場所には、負荷機器８０−１〜８０−Ｎのいずれかが設置されていることを表している。図１１（Ｂ）においては、図を簡略化するために、負荷機器８０−１〜８０−Ｎが設置された場所の番号のみを示しているが、実際に各場所に設置されている負荷機器の種別に基づくアイコンを表示するようにしてもよい。例えば、図１１（Ｂ）において、テレビが設置されている場所には、テレビを表すアイコンを表示してもよい。
【００９６】
以下、図１１（Ｂ）において、負荷機器が設置された各場所に付された番号の表示に関連付けられた、エネルギー管理部２０による電力の制御状態を示す情報について説明する。
【００９７】
図１１（Ｂ）に示す（１）の位置に例えば１台目のエアコンが設置してある場合、当該位置に対応する操作入力を入力検出部１４が検出すると、制御部１６は、そのエアコンの状態を示す情報をエネルギー管理部２０から取得して表示するように制御する。すなわち、図１１（Ｂ）に示す（１）の位置をユーザが選択する操作入力が検出されると、制御部１６は、エネルギー管理部２０との通信により情報を取得して、例えば図１２に示すような、エアコン１に関連付けられた詳細情報を表示部１２に表示するよう制御する。例えば、ユーザが指などにより図１１（Ｂ）に示す（１）の位置に触れると、図１２に示すように、表示部１２には、エアコン１に関連付けられた各種の詳細情報が表示される。
【００９８】
図１２に示すエアコン１に関連付けられた詳細情報は、以下に記すように、エアコン１の各ステータスを示している。電源オンの表示（１）は、エアコン１の電源がオンになっていることを示している。設定温度および設定湿度の表示（２）は、エアコン１において設定された温度が２０度であり、エアコン１において設定された湿度が３４％であることを示している。室温、湿度、および電力の表示（３）は、エアコン１において計測される実際の温度が２４度であり、実際の湿度が５１％であり、そして現在のエアコン１における消費電力が６１３９３Ｗであることを表している。履歴のアイコンの表示（４）は、当該アイコンに対応する操作入力を入力検出部１４が検出すると、制御部１６は、エアコン１の消費電力などの推移を表す履歴情報をエネルギー管理部２０から取得して表示するように制御する。
【００９９】
図１１（Ｂ）に示す（２）の位置に例えば冷凍冷蔵庫が設置してある場合、当該位置に対応する操作入力を入力検出部１４が検出すると、制御部１６は、その冷凍冷蔵庫の状態を示す情報をエネルギー管理部２０から取得して表示するように制御する。すなわち、図１１（Ｂ）に示す（２）の位置をユーザが選択する操作入力が検出されると、制御部１６は、エネルギー管理部２０との通信により情報を取得して、例えば図１３に示すような、冷凍冷蔵庫に関連付けられた詳細情報を表示部１２に表示するよう制御する。例えば、ユーザが指などにより図１１（Ｂ）に示す（２）の位置に触れると、図１３に示すように、表示部１２には、冷凍冷蔵庫に関連付けられた各種の詳細情報が表示される。
【０１００】
図１３に示す冷凍冷蔵庫に関連付けられた詳細情報は、以下に記すように、冷凍冷蔵庫の各ステータスを示している。電源オンの表示（１）は、冷凍冷蔵庫の電源がオンになっていることを示している。冷蔵室温度および冷凍室温度の表示（２）は、冷蔵室において計測された温度が７度であり、冷凍室において計測された温度が１度であることを示している。電力の表示（３）は、現在の冷凍冷蔵庫における消費電力が２２８５２Ｗであることを表している。履歴のアイコンの表示（４）は、当該アイコンに対応する操作入力を入力検出部１４が検出すると、制御部１６は、冷凍冷蔵庫の消費電力などの推移を表す履歴情報をエネルギー管理部２０から取得して表示するように制御する。
【０１０１】
図１１（Ｂ）に示す（３）の位置に例えば１台目のテレビが設置してある場合、当該位置に対応する操作入力を入力検出部１４が検出すると、制御部１６は、そのテレビの状態を示す情報をエネルギー管理部２０から取得して表示するように制御する。すなわち、図１１（Ｂ）に示す（３）の位置をユーザが選択する操作入力が検出されると、制御部１６は、エネルギー管理部２０との通信により情報を取得して、例えば図１４に示すような、テレビ１に関連付けられた詳細情報を表示部１２に表示するよう制御する。例えば、ユーザが指などにより図１１（Ｂ）に示す（３）の位置に触れると、図１４に示すように、表示部１２には、テレビ１に関連付けられた各種の詳細情報が表示される。
【０１０２】
図１４に示すテレビ１に関連付けられた詳細情報は、以下に記すように、テレビ１の各ステータスを示している。電源オフの表示（１）は、テレビ１の電源がオフになっていることを示している。テレビ１の画面の明るさ（ブライトネス）の表示（２）は、例えばテレビ１のバックライトなどによる画面の明るさの設定が−１５であることを示している。電力の表示（３）は、現在のテレビ１における消費電力が０Ｗであることを表している。履歴のアイコンの表示（４）は、当該アイコンに対応する操作入力を入力検出部１４が検出すると、制御部１６は、テレビ１の消費電力などの推移を表す履歴情報をエネルギー管理部２０から取得して表示するように制御する。
【０１０３】
図１１（Ｂ）に示す（４）の位置に例えばヒートポンプが設置してある場合、当該位置に対応する操作入力を入力検出部１４が検出すると、制御部１６は、そのヒートポンプの状態を示す情報をエネルギー管理部２０から取得して表示するように制御する。すなわち、図１１（Ｂ）に示す（４）の位置をユーザが選択する操作入力が検出されると、制御部１６は、エネルギー管理部２０との通信により情報を取得して、例えば図１５に示すような、ヒートポンプに関連付けられた詳細情報を表示部１２に表示するよう制御する。例えば、ユーザが指などにより図１１（Ｂ）に示す（４）の位置に触れると、図１５に示すように、表示部１２には、ヒートポンプに関連付けられた各種の詳細情報が表示される。
【０１０４】
図１５に示すヒートポンプに関連付けられた詳細情報は、以下に記すように、ヒートポンプの各ステータスを示している。電源オンの表示（１）は、ヒートポンプの電源がオンになっていることを示している。ボイラーモードおよび設定温度の表示（２）は、ボイラーに設定された運転モードが通常のノーマルモードであり、ボイラーに設定された温度が１６度であることを示している。温水の表示（３）は、ボイラーの温水の量を例えば５段階などで示すことができる。ボイラー温度、周囲温度、および電力の表示（４）は、ボイラーにおいて計測される実際の温度が４度であり、ボイラーの周囲で計測される温度が３度であり、そして現在のヒートポンプにおける消費電力が５３５８０Ｗであることを表している。履歴のアイコンの表示（５）は、当該アイコンに対応する操作入力を入力検出部１４が検出すると、制御部１６は、ヒートポンプの消費電力などの推移を表す履歴情報をエネルギー管理部２０から取得して表示するように制御する。
【０１０５】
次に、図４（Ａ）に示したような表示において、図４（Ｂ）に示すカレンダーを表すアイコン（５）をユーザが選択する操作入力が検出された場合に、表示部１２に表示される画面の例を示す。
【０１０６】
まず、図４（Ａ）において説明したように、表示部１２の画面中央に表示されるアイコンの付近には、当該アイコンに対する入力に基づいてどのような情報が表示されるのかを示唆する表示を行うようにできる。例えば、図４（Ａ）のような画面において、図４（Ｂ）に示すアイコン（５）をユーザが画面中央にスライドさせる操作入力が検出されると、制御部１６は、図１６（Ａ）に示すように、このアイコンの付近に、「比較」のオブジェクト（１）および「計画」のオブジェクト（２）の表示を行うように制御する。このように、１つのアイコンについて、エネルギー管理部２０による異なる２つ以上の電力の制御状態を示す情報が表示される旨を示唆することもできる。
【０１０７】
ここで、例えばユーザが指などにより図１６（Ａ）に示す「比較」のオブジェクト（１）に触れると、図１６（Ｂ）に示すような表示が行われるようにすることができる。図１６（Ｂ）は、本例において説明している家屋の売電および買電の状況を、他の家庭における売電および買電の状況と比較した様子を表示したものである。例えば、「Ａ宅」のグラフは本例において説明している家屋の売電および買電の状況を表し、「Ｂ宅」および「Ｃ宅」のグラフは他の家庭における売電および買電の状況を表すものとすることができる。ここで、比較の対象となる他の家庭を選択する際には、例えばプライバシの問題なども考慮して、本例において説明している家屋と似たような負荷機器の設置状況または消費電力の状況などを有する他の家庭が匿名で選定されるようにするのが好適である。
【０１０８】
図１において既に説明したように、本実施形態に係る電力制御システムにおいては、エネルギー管理部２０はネットワーク３００に接続されている。したがって、例えば電力会社などに設置された系統ＥＭＳ２００は、各家庭のエネルギー管理部２０のデータベース２２に蓄積された各種の情報を収集することができる。このため、本実施形態において、系統ＥＭＳ２００は、各家庭の情報を適宜選定して、他の家庭に匿名で提供することにより、上述したような売電および買電の状況の比較を行うことができる。
【０１０９】
一方、例えばユーザが指などにより図１６（Ａ）に示す「計画」のオブジェクト（２）に触れると、例えば「計画」に関するサブメニューが表示されるようにできる。この「サブメニュー」には、例えば、「運転計画表示」、「負荷パターン」、および「電気料金信号」などを含ませて表示させることができる。
【０１１０】
ここで、「運転計画表示」とは、例えば、太陽光発電システム５０および蓄電部６０などの運転計画を表示するものとし、当該表示画面に進むことで、例えば過去の運転の履歴に基づく未来の運転計画の予測、または予め設定された未来の運転計画を表示することができる。また、「負荷パターン」とは、例えば、負荷機器８０−１〜８０−Ｎの負荷のパターンを表示するものとし、当該表示画面に進むことで、例えば負荷の過去のパターンに基づく未来の負荷のパターンの予測などを表示することができる。さらに、「電気料金」とは、例えば、電気料金の料金信号に基づく情報を表示するものとし、当該表示画面に進むことで、例えば過去の電気料金の料金信号の推移に基づく未来の電気料金の料金信号の予測などを表示することができる。あるいは、例えば外部サーバなどから専門の事業者が提供する電気料金の予測などの情報をエネルギー管理部２０が取得して、このような情報を表示してもよい。
【０１１１】
その他、例えばユーザが指などにより図４（Ｂ）に示した太陽のアイコン（１）に触れると、例えば「天気」および「天気関連の電力」に関するサブメニューが表示されるようにできる。ここで、「天気」とは、例えば天気予報の情報を表示するものとし、当該表示画面に進むことで、例えば天候、気温、および湿度などの情報を、適宜グラフィックスを用いて表示する。このような天気の情報は、エネルギー管理部２０が、ネットワークを介して専門の事業者が提供する天気予報の情報を所定のタイミングで取得して表示することができる。また、「天気関連の電力」とは、例えば、日射量および外気温を、電力関連の情報とともに表示するものとすることができる。当該表示画面に進むことで、例えば現在の日射量の度合いおよび気温などの情報を、太陽光発電システム５０の発電状況および蓄電部６０の蓄電状況とともに、適宜グラフィックスを用いて表示する。このような天気に関連する情報も、エネルギー管理部２０が、ネットワークを介して専門の事業者が提供する情報を所定のタイミングで取得して表示することができる。
【０１１２】
また、例えばユーザが指などにより図４（Ｂ）に示した磁気テープのリールのアイコン（４）に触れると、例えばエネルギー管理部２０（のデータベース２２）に蓄積された各情報の「履歴」が表示されるようにできる。例えば、ユーザが指などにより図４（Ｂ）に示した磁気テープのリールのアイコン（４）に触れると、図１１（Ｂ）に示したような間取りの表示に進むようにすることができる。図１１（Ｂ）で説明した間取りの表示は、負荷機器８０−１〜８０−Ｎが設置された場所を示している。そこで、例えば図４（Ｂ）に示した磁気テープのリールのアイコン（４）が選択されて図１１（Ｂ）の表示に移行した場合は、各負荷機器８０の位置に対応する入力を検出することにより、当該位置に設置された負荷機器８０の消費電力の履歴を表示することができる。このような負荷機器８０の消費電力の履歴は、エネルギー管理部２０のデータベース２２に蓄積することができる。ここで表示される負荷機器８０の消費電力の履歴は、例えばグラフにして表示するなど、ユーザが一見して容易に把握できるようにするのが好適である。その他、図４（Ｂ）に示した磁気テープのリールのアイコン（４）が選択された場合、所定のアイコンまたはオブジェクトなどを表示して、これらに対応する入力が検知されることにより、当該入力が検出された表示に関連する項目の履歴が表示されるようにすることができる。
【０１１３】
このように、本実施形態に係る表示端末１０によれば、電力制御の専門家ではない一般ユーザであっても、電力制御システムにおける電力の制御状態を一見して容易に把握することができる。
【０１１４】
以上、本発明を諸図面や実施例に基づき説明したが、当業者であれば本開示に基づき種々の変形や修正を行うことが容易であることに注意されたい。したがって、これらの変形や修正は本発明の範囲に含まれることに留意すべきである。例えば、各部材、各手段、各ステップなどに含まれる機能などは論理的に矛盾しないように再配置可能であり、複数の手段やステップなどを１つに組み合わせたり、或いは分割したりすることが可能である。
【０１１５】
上述した実施形態においては、主として入力検出部１４がタッチパネルである例について重点的に説明した。しかしながら、上述したように、本発明において、表示部における表示に対応する入力を検出する入力検出部はタッチパネルに限定されるものではなく、例えば上下左右の方向キー等によって構成することもできる。本発明においては、入力検出部が検出した入力が示唆する移動方向が判別できれば、上述した実施形態のようにスイープまたはドラッグなどの操作入力を検出するタッチパネル、または上下左右の方向に対する操作入力を検出する方向キーなど、各種の態様の入力検出部を採用することができる。
【０１１６】
また、上述した実施形態において説明した表示部１２における表示は例示であり、上述した例以外にも、一般ユーザが電力制御システムにおける電力の制御状態を一見して容易に把握することができるような、種々の表示を想定することができる。以上説明したような電力の制御状態を示す情報を、一般ユーザが一見して容易に把握することができるような表示態様で表示するのに用いるアプリケーションソフトウェアも、種々のものを想定することができる。
【符号の説明】
【０１１７】
１０  表示端末
１２  表示部
１４  入力検出部
１６  制御部
１８  インタフェース
２０  エネルギー管理部
２２  データベース
３０  スマートメータ
４０  パワーコンディショナ
５０  太陽光発電システム
６０  蓄電部
７０  分電盤
８０  負荷機器
１００  商用電源
２００  系統ＥＭＳ
２１０  データベース
３００  ネットワーク
【図１】
2013088584.tif 000003
【図２】
2013088584.tif 000004
【図３】
2013088584.tif 000005
【図４】
2013088584.tif 000006
【図５】
2013088584.tif 000007
【図６】
2013088584.tif 000008
【図７】
2013088584.tif 000009
【図８】
2013088584.tif 000010
【図９】
2013088584.tif 000011
【図１０】
2013088584.tif 000012
【図１１】
2013088584.tif 000013
【図１２】
2013088584.tif 000014
【図１３】
2013088584.tif 000015
【図１４】
2013088584.tif 000016
【図１５】
2013088584.tif 000017
【図１６】
2013088584.tif 000018
【国際調査報告】
2013088584.tif 000019
2013088584.tif 000020